(57)【要約】【課題】維持放電時に発生する可視光の透過量を増大させて輝度を向上させるプラズマディスプレイパネルを提供する。【解決手段】プラズマディスプレイパネルに，互いに対向配置される第１基板１及び第２基板３と，第１基板に形成されるアドレス電極９と，第１基板と第２基板との間に配置されて放電セルを区画する隔壁５と，放電セル内に形成される蛍光体層８と，第２基板に形成され，アドレス電極と交差する方向に延びており，かつ放電セルに対応して配置される，不透明電極からなる第１電極１１および第２電極１３と，を備え，不透明電極は，第２基板に隣接して配置される第１層１１ａｂと，第１層上に積層される第２層１１ａｗとを含み，第１層の幅は第２層の幅より狭くする。【選択図】図３
2006147568.tif 000002
【特許請求の範囲】
【請求項１】
互いに対向配置される第１基板及び第２基板と；
前記第１基板に形成されるアドレス電極と；
前記第１基板と第２基板との間に配置されて放電セルを区画する隔壁と；
前記放電セル内に形成される蛍光体層と；
前記第２基板に形成され，前記アドレス電極と交差する方向に延びており，かつ前記放電セルに対応して配置される，不透明電極からなる第１電極および第２電極と；
を含み，
前記不透明電極は，前記第２基板に隣接して配置される第１層と，前記第１層上に積層される第２層とを含み，前記第１層の幅は前記第２層の幅より狭いことを特徴とするプラズマディスプレイパネル。
【請求項２】
前記第１層はブラック層からなり，前記第２層はホワイト層からなることを特徴とする，請求項１に記載のプラズマディスプレイパネル。
【請求項３】
前記第１層はＣｏ，Ｃｒ，Ｒｕ２Ｏ３を含む群より選択される少なくとも一つの成分を含み，前記第２層はＡｇまたはＡｌを含むことを特徴とする，請求項１または請求項２に記載のプラズマディスプレイパネル。
【請求項４】
前記第１電極及び前記第２電極の不透明電極で，前記第１層は前記第２基板側に形成され，前記第２層は前記放電セル側に形成されることを特徴とする，請求項１〜３のいずれか１項に記載のプラズマディスプレイパネル。
【請求項５】
前記第２層は，前記第２基板側の幅が前記放電セル側の幅より狭いことを特徴とする，請求項４に記載のプラズマディスプレイパネル。
【請求項６】
前記第２層の側面が傾斜面であることを特徴とする，請求項５に記載のプラズマディスプレイパネル。
【請求項７】
前記不透明電極は，メイン電極と，前記メイン電極と平行に形成されるサブ電極と，を含んで形成されることを特徴とする，請求項１〜６のいずれか１項に記載のプラズマディスプレイパネル。
【請求項８】
前記サブ電極は，前記メイン電極の両側に各々形成されることを特徴とする，請求項７に記載のプラズマディスプレイパネル。
【請求項９】
前記各放電セルの最外郭に対応するサブ電極は，少なくとも一部が前記隔壁上を通るように配置されることを特徴とする，請求項８に記載のプラズマディスプレイパネル。
【発明の詳細な説明】
【技術分野】
【０００１】
本発明はプラズマディスプレイパネルに関し，より詳しくは，維持放電で発生する可視光の透過を最大化して，輝度を向上させるプラズマディスプレイパネルに関するものである。
【背景技術】
【０００２】
一般に，プラズマディスプレイパネル（以下，‘ＰＤＰ’とも称する。）は，背面パネルと前面パネルを相互に封着して，その間に不活性ガスが充填される放電セルを形成し，この放電セル内で気体放電を起こすように構成されている。
【０００３】
つまり，背面パネルは，背面基板にアドレス電極を形成し，このアドレス電極を誘電層で覆い，この誘電層上に隔壁を形成し，この隔壁内に蛍光体層を備えることにより形成される。この背面パネルに対向配置される前面パネルは，前面基板に，アドレス電極と交差する状態で表示電極（維持電極と走査電極の対で形成される）を備え，この表示電極を誘電層と保護膜の積層構造で覆うことにより形成される。
【０００４】
ＰＤＰは，放電セル内で気体放電によってプラズマを生成し，このプラズマから真空紫外線を生成し，この真空紫外線で蛍光体を励起させ，この蛍光体から赤色，緑色，青色の可視光を発生させて画像を表示する。気体放電を起こす表示電極は透明電極とバス電極で形成される。
【０００５】
この表示電極の透明電極は，放電セル内で沿面放電を起こしながら，放電セル内で発生する可視光の遮蔽を最少化して前面基板への可視光の透過を最大化することができるような透明材質で形成されなければならない。そのために，透明電極はＰＤＰの製造原価を上昇させる。
【０００６】
このＰＤＰの製造原価を低減させるために，表示電極は，透明電極を除去して優れた伝導性を有するバス電極で形成することもできる。このバス電極は外光を吸収してコントラストを向上させるためのブラック層と，通電性を向上させるためのホワイト層で形成される。
【発明の開示】
【発明が解決しようとする課題】
【０００７】
しかし，バス電極のブラック層はＰＤＰ駆動時に放電セルで発生した可視光の一部を吸収してＰＤＰの輝度を低減させるという問題があった。
【０００８】
そこで，本発明は，このような問題に鑑みてなされたもので，その目的とするところは，維持放電時に発生する可視光の透過量を増大させて輝度を向上させることが可能なプラズマディスプレイパネルを提供することにある。
【課題を解決するための手段】
【０００９】
上記課題を解決するために，本発明のある観点によれば，互いに対向配置される第１基板及び第２基板と；第１基板に形成されるアドレス電極と；第１基板と第２基板との間に配置されて放電セルを区画する隔壁と；放電セル内に形成される蛍光体層と；第２基板に形成され，アドレス電極と交差する方向に延びており，かつ放電セルに対応して配置される，不透明電極からなる第１電極および第２電極と；を含み，不透明電極は，第２基板に隣接して配置される第１層と，第１層上に積層される第２層とを含み，第１層の幅は第２層の幅より狭いことを特徴とするプラズマディスプレイパネルが提供される。
【００１０】
上記第１層はブラック層からなり，第２層はホワイト層からなっていてもよい。
【００１１】
上記第１層はＣｏ，Ｃｒ，Ｒｕ２Ｏ３を含む群より選択される少なくとも一つの成分を含んでもよく，第２層はＡｇまたはＡｌを含んでもよい。
【００１２】
上記第１電極及び第２電極の不透明電極で，上記第１層は第２基板側に形成され，第２層は放電セル側に形成されてもよい。この場合，第１電極及び第２電極の不透明電極で，第１層は第２基板側に形成されて外光を吸収してコントラストを向上させ，第２層は放電セル側に形成されて通電性を向上させる。
【００１３】
上記第２層は，第２基板側の幅が放電セル側の幅より狭くてもよい。この場合，第２層は第２基板側の幅が放電セル側の幅より小さい幅で形成され，放電セルで生成された可視光中，第１層へ進む可視光の方向を転換させて前方へ透過させるので輝度を向上させる。
【００１４】
その一例として，上記第２層の側面を傾斜面として形成してもよい。
【００１５】
上記不透明電極は，メイン電極と，メイン電極と平行に形成されるサブ電極と，を含んで形成されてもよい。
【００１６】
上記サブ電極は，メイン電極の両側に各々形成されてもよい。この場合，サブ電極がメイン電極の両側に各々形成され，放電セルで可視光の前方開口率低下を最少化しながら，沿面放電領域を確保する。
【００１７】
上記各放電セルの最外郭に対応するサブ電極は，少なくとも一部が隔壁上を通るように配置されてもよい。
【００１８】
上記発明によれば，維持電極と走査電極を不透明のバス電極で形成し，このバス電極をブラック層とホワイト層で形成し，このブラック層の幅をホワイト層の幅より小さくして，維持放電時に放電セル内で発生した可視光の前方への透過率を高めてパネルの輝度を向上させる効果がある。
【００１９】
また，上記発明によれば，バス電極のホワイト層側面を傾斜面に形成して，ブラック層に向かって遮蔽される可視光の進路を転換させて前方に透過させることにより，可視光の透過率を増大させてパネルの輝度をさらに向上させる効果がある。
【発明の効果】
【００２０】
以上説明したように本発明によれば，維持放電時に発生する可視光の透過量を増大させて輝度を向上させることが可能なプラズマディスプレイパネルを提供するこができる。
【発明を実施するための最良の形態】
【００２１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２２】
図１は本発明の一実施形態によるプラズマディスプレイパネルを概略的に示した，部分的な分解斜視図であり，図２は図１のプラズマディスプレイパネルを組立ててＡ−Ａ線によって切断した状態の断面図である。
【００２３】
ＰＤＰは，互いに対向配置される第１基板１（以下，‘背面基板’とも称する。）と第２基板３（以下，‘前面基板’と言う）を備える。背面基板１と前面基板３との間には隔壁５が備られて気体放電空間，つまり，放電セル７が形成されており，この放電セル７に蛍光体層８が備えられる。そしてＰＤＰは，背面基板１と前面基板３の外郭が相互に封着され，放電ガスを充填する構造で形成されている。
【００２４】
この背面基板１は，放電セル７側に第１方向（図面のｙ軸方向）へ伸張形成されて各放電セル７に対応するアドレス電極９を備える。そして，前面基板３は，放電セル７を間に置いてアドレス電極９と交差するように，第２方向（図面のｘ軸方向）へ伸張形成される第１電極１１（以下，‘維持電極’とも称する。）と第２電極１３（以下，‘走査電極’とも称する。）の対を備える。維持電極１１と走査電極１３は，アドレス放電に引き続き，各々に交互に印加される維持放電パルスによって放電セル７内で沿面放電で維持放電を起こして画像の表示を実現する。
【００２５】
維持放電の前に，走査電極１３に印加されるスキャンパルスとアドレス電極９に印加されるアドレスパルスによって，アドレス放電を起こして点灯される放電セル７を選択する。
【００２６】
上述のように，アドレス電極９が背面基板に備えられ，維持電極１１及び走査電極１３が前面基板３に備えられ，アドレス放電及び維持放電が起こる放電セル７は上記のように背面基板１と前面基板３との間に備えられる隔壁５によって区画形成される。
【００２７】
この隔壁５は，アドレス電極９の伸張方向（図面のｙ軸方向）へ形成される第１隔壁５ａのように帯状（ストライプ状）に形成されてもよい。または，図１に示したように，第１隔壁５ａと，これに交差する方向（図面のｘ軸方向）に形成される第２隔壁５ｂによる格子形状に形成されてもよい。これだけなく，隔壁５は放電セル７を図示したように四角形に形成してもよく，６角形及び８角形を含む多角形に形成するなど，多様な形で形成してもよい。
【００２８】
この隔壁５の背面基板１側には誘電層１７が備えられる。この誘電層１７は，背面基板１上に備えられるアドレス電極９を覆っており，アドレス放電時に壁電荷を蓄積することができる。したがって，放電セル７の背面基板１側は，誘電層１７の表面と隔壁５の内壁面によって形成される。
【００２９】
この隔壁５の前面基板３側には，誘電層１９と保護膜２１が積層構造に備えられる。この誘電層１９は，前面基板３上に備えられて維持電極１１と走査電極１３を覆っており，アドレス放電及び維持放電時に壁電荷を蓄積する。したがって，放電セル７は前面基板３側に保護膜２１として形成される。
【００３０】
したがって，背面基板１と前面基板３との間に形成される放電セル７は，背面基板１側の誘電層１７表面と隔壁５の内壁面及び前面基板３側の保護膜２１によって放電空間を形成する。
【００３１】
この放電セル７内で気体放電時に可視光を発生させる蛍光体層８は，この放電空間の誘電層１７表面と隔壁５の内壁面に形成されて維持放電時に発生する可視光を前面基板３側に向かせる。
【００３２】
本実施形態において，維持電極１１と走査電極１３は維持放電に必要な維持パルス電圧及びリセットパルス電圧を印加する役割を果たし，また，走査電極１３はスキャンパルス電圧を印加する役割を果たす。しかし，この維持電極１１と走査電極１３の役割はそれぞれの電極に印加される電圧パルスに応じて変わるので，必ずしもこの役割に限定されない。
【００３３】
この維持電極１１と走査電極１３は，アドレス電極９と交差する方向（図面のｘ軸方向）に形成される第２隔壁５ｂ）の対向側に形成されて，隣接する放電セル７の駆動に選択的に関係することもできるが，図示したように，各放電セル７に独立的に形成されて一つの放電セル７の駆動にのみ関係することもできる。
【００３４】
この維持電極１１と走査電極１３は，各々不透明電極の一例であるバス電極で形成される。この維持電極１１及び走査電極１３は，アドレス電極９と交差する方向に延びて形成される。この維持電極１１及び走査電極１３は，相互に沿面放電を可能にしながら開口率を確保するように，図示したように，複数，つまり，メイン電極１１ａ，１３ａとサブ電極１１ｂ，１３ｂの平行構造で形成することができる。このサブ電極１１ｂ，１３ｂはメイン電極１１ａ，１３ａの両側に各々形成してもよい。メイン電極１１ａとサブ電極１１ｂに同一の維持パルス電圧が印可され，また，メイン電極１３ａとサブ電極１３ｂに同一の維持パルス電圧が印加される。同一とは，同電圧，かつ同タイミングを意味する。また，このメイン電極１１ａ，１３ａとサブ電極１１ｂ，１３ｂは互いに分離形成されることによって，放電セル７で広い面積の放電領域を確保しながら，さらに可視光の透過率を確保することが可能である。
【００３５】
複数のサブ電極１１ｂ，１３ｂのうち，放電セル７の中央付近に位置するサブ電極１１ｂ，１３ｂは，維持電極１１と走査電極１３の間隔が狭いため低電圧による放電開始が可能である。サブ電極１１ｂ，１３ｂ間での放電は，メイン電極１１ａ，１３ａ間の本格的な維持放電を効果的に誘導し，その結果消費電力を低減させることができる。また，サブ電極１１ｂ，１３ｂのうち，放電セル７の外郭付近に位置するサブ電極１１ｂ，１３ｂは，隔壁５に隣接して配置され，メイン電極１１ａ，１３ａの本格的な維持放電を隔壁５側にまで伝達して，広い面積の蛍光体層８を励起させることができる。
【００３６】
このメイン電極１１ａ，１３ａ，及びサブ電極１１ｂ，１３ｂは，第１層としてブラック層１１ａｂ，１３ａｂ，１１ｂｂ，１３ｂｂと，第２層としてホワイト層１１ａｗ，１３ａｗ，１１ｂｗ，１３ｂｗの積層構造で形成される。このブラック層１１ａｂ，１３ａｂ，１１ｂｂ，１３ｂｂは，外光を吸収してコントラストを向上させるように，コバルト（Ｃｏ），クロム（Ｃｒ），Ｒｕ２Ｏ３のうちの少なくとも一つの成分を含んで形成することができる。ホワイト層１１ａｗ，１３ａｗ，１１ｂｗ，１３ｂｗは，伝導性を向上させるために，銀（Ａｇ）またはアルミニウム（Ａｌ）で形成することができる。したがって，メイン電極１１ａ，１３ａ，及びサブ電極１１ｂ，１３ｂは，コントラストの許容範囲内でブラック層１１ａｂ，１３ａｂ，１１ｂｂ，１３ｂｂの面積を小さくし，ホワイト層１１ａｗ，１３ａｗ，１１ｂｗ，１３ｂｗは面積を増大させることにより，可視光の透過を遮蔽せずに通電性を確保できる。
【００３７】
このために，ブラック層１１ａｂ，１３ａｂ，１１ｂｂ，１３ｂｂの幅Ｗａｂ１１，Ｗａｂ１３，Ｗｂｂ１１，Ｗｂｂ１３を，ホワイト層１１ａｗ，１３ａｗ，１１ｂｗ，１３ｂｗの幅Ｗａｗ１１，Ｗａｗ１３，Ｗｂｗ１１，Ｗｂｗ１３より狭く形成する。つまり，ブラック層１１ａｂ，１３ａｂ，１１ｂｂ，１３ｂｂの面積はホワイト層１１ａｗ，１３ａｗ，１１ｂｗ，１３ｂｗの面積より小さく形成される。したがって，ブラック層１１ａｂ，１３ａｂ，１１ｂｂ，１３ｂｂは可視光の透過率を阻害しない範囲内で外光吸収を最大化してコントラストを向上させる。
【００３８】
このブラック層１１ａｂ，１３ａｂ，１１ｂｂ，１３ｂｂは前面基板３側に形成され，ホワイト層１１ａｗ，１３ａｗ，１１ｂｗ，１３ｂｗはこのブラック層１１ａｂ，１３ａｂ，１１ｂｂ，１３ｂｂ上の放電セル７側に形成される。また，このホワイト層１１ａｗ，１３ａｗ，１１ｂｗ，１３ｂｗは前面基板３側に形成され，ブラック層１１ａｂ，１３ａｂ，１１ｂｂ，１３ｂｂはこのホワイト層１１ａｗ，１３ａｗ，１１ｂｗ，１３ｂｗ上の放電セル７側に形成されてもよい（図示せず）。
【００３９】
また，ホワイト層１１ａｗ，１３ａｗ，１１ｂｗ，１３ｂｗは，前面基板３側の幅が放電セル７側の幅より小さい幅で形成されてもよい。この一例として，ホワイト層１１ａｗ，１３ａｗ，１１ｂｗ，１３ｂｗの側面を傾斜面として形成してもよい。このホワイト層１１ａｗ，１３ａｗ，１１ｂｗ，１３ｂｗの側面形状は，曲面で形成する等，可視光の方向が転換できる多様な形状に形成することができる。
【００４０】
一方，各放電セル７の最外郭に対応するサブ電極１１ｂ，１３ｂは，少なくとも一部が隔壁５，特に第２隔壁部材５ｂ上を通るように配置してもよい。その結果，放電セル７内で発生した可視光が放電セル７外側である非放電領域を通じて放出されることを防止することが可能になる。
【００４１】
図３に示したように，ホワイト層１１ａｗ，１３ａｗ，１１ｂｗ，１３ｂｗの上述のような構造は，放電セル７内で生成されて前方（前部基板３方向）に透過する可視光の中で，放電セル７の隔壁５付近でブラック層１１ａｂ，１３ａｂ，１１ｂｂ，１３ｂｂによって遮蔽される前に可視光ｒの方向を転換（ｒ１（図３中の破線矢印）からｒ２（図３注の実線矢印）に）させ，前面基板３に透過させる。これにより，ブラック層１１ａｂ，１３ａｂ，１１ｂｂ，１３ｂｂによって低下する可視光ｒの透過率を効果的に補償する。この時，方向転換された可視光ｒ２はメイン及びサブ電極１１ａ，１３ａ，１１ｂ，１３ｂの間へ透過できる。
【００４２】
このように，本実施形態は，バス電極で形成される維持電極１１と走査電極１３で，ブラック層１１ａｂ，１３ａｂ，１１ｂｂ，１３ｂｂの幅Ｗａｂ１１，Ｗａｂ１３，Ｗｂｂ１１，Ｗｂｂ１３をホワイト層１１ａｗ，１３ａｗ，１１ｂｗ，１３ｂｗの幅Ｗａｗ１１，Ｗａｗ１３，Ｗｂｗ１１，Ｗｂｗ１３より狭く形成することによって，放電セル７の隔壁５及び中心部で可視光の透過率を向上させることができる。また，このホワイト層１１ａｗ，１３ａｗ，１１ｂｗ，１３ｂｗの側面を傾斜面に形成することによって，ブラック層１１ａｂ，１３ａｂ，１１ｂｂ，１３ｂｂによって遮蔽される前に可視光の方向を転換して前方に透過させることにより，可視光の透過率を一層高めてＰＤＰの輝度を向上させる。
【００４３】
つまり，本実施形態によれば，維持放電時に発生する可視光中，維持電極及び走査電極のバス電極ブラック層に向かう可視光を前方に屈折させて可視光の透過率を増大させるので，輝度を向上させるプラズマディスプレイパネルを提供することができる。
【００４４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４５】
本発明は，プラズマディスプレイパネルに適用可能である。
【図面の簡単な説明】
【００４６】
【図１】本発明の一実施形態によるプラズマディスプレイパネルを概略的に示した部分分解斜視図である。
【図２】図１のプラズマディスプレイパネルを組立ててＡ−Ａ線によって切断した状態の断面図である。
【図３】同実施形態よるプラズマディスプレイパネルで可視光が反射及び透過する状態を示した駆動状態図である。
【符号の説明】
【００４７】
１      第１基板（背面基板）
３      第２基板（前面基板）
５      隔壁
５ａ      第１隔壁
５ｂ      第２隔壁
７      放電セル
８      蛍光体層
９      アドレス電極
１１      第１電極（維持電極）
１１ａ，１３ａ      メイン電極
１１ｂ，１３ｂ      サブ電極
１１ａｂ，１３ａｂ，１１ｂｂ，１３ｂｂ      ブラック層
１１ａｗ，１３ａｗ，１１ｂｗ，１３ｂｗ      ホワイト層
１３      第２電極（走査電極）
１７      誘電層
２１      保護膜
Ｗａｂ１１，Ｗａｂ１３，Ｗｂｂ１１，Ｗｂｂ１３      ブラック層の幅
Ｗａｗ１１，Ｗａｗ１３，Ｗｂｗ１１，Ｗｂｗ１３      ホワイト層の幅
【図１】
2006147568.tif 000003
【図２】
2006147568.tif 000004
【図３】
2006147568.tif 000005